【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
基板上に記録層を設けてなる光記録媒体において、該記録層中に、（ｉ）ホルマザン化合物と金属からなるホルマザン金属キレート化合物、（ii）スクアリリウム化合物と金属からなるスクアリリウム金属キレート化合物及び（iii）フタロシアニン化合物を含有していることを特徴とする光記録媒体。
【請求項２】
該ホルマザン金属キレート化合物と該スクアリリウム金属キレート化合物の膜の吸収スペクトルの最大吸収波長が５００〜６５０ｎｍであり、該フタロシアニン化合物の膜の吸収スペクトルの最大吸収波長が６５０〜７５０ｎｍであることを特徴とする請求項１に記載の光記録媒体。
【請求項３】
該ホルマザン金属キレート化合物と該スクアリリウム金属キレート化合物との重量比が１０：９０〜５０：５０であり、さらに該フタロシアニン化合物の含有量が、該ホルマザン金属キレート化合物と該スクアリリウム金属キレート化合物の合計量に対して０．５〜２０重量％であることを特徴とする請求項１又は２に記載の光記録媒体。
【請求項４】
該ホルマザン金属キレート化合物が、下記一般式（Ｉ）及び／又は下記一般式（II）で表されるホルマザン化合物と金属からなることを特徴とする請求項１〜３のいずれかに記載の光記録媒体。
【化１】
2003335060.tif 000001
（式中、環Ａは窒素原子を含む置換もしくは無置換の５員環又は６員環を示し、Ｚは環Ａを与える原子群を示し、該含窒素複素環には他の環が縮合していてもよく、Ａは置換基を有していてもよいアルキル基、置換基を有していてもよいアリール基、置換基を有していてもよいアルキルカルボニル基、置換基を有していてもよいアリールカルボニル基、置換基を有していてもよいアルケニル基、置換基を有していてもよい複素環基又は置換基を有していてもよいアルコキシカルボニル基を示し、Ｂは置換基を有していてもよいアルキル基、置換基を有していてもよいアルケニル基又は置換基を有していてもよいアリール基を示す）
【化２】
2003335060.tif 000002
（式中、環Ｂ及び環Ｃは、同一または異なっていてもよくそれぞれ窒素原子を含む置換もしくは無置換の５員環又は６員環を示し、Ｚ１、Ｚ２はそれぞれ環Ｂ及び環Ｃを与える原子群を示し、該含窒素複素環には他の環が縮合していてもよく、Ａ１、Ａ２はそれぞれ置換基を有していてもよいアルキル基、置換基を有していてもよいアリール基、置換基を有していてもよいアルキルカルボニル基、置換基を有していてもよいアリールカルボニル基、置換基を有していてもよいアルケニル基、置換基を有していてもよい複素環基又は置換基を有していてもよいアルコキシカルボニル基を示し、Ｂ１、Ｂ２はそれぞれ置換基を有していてもよいアルキレン基、置換基を有していてもよいアルケニレン基又は置換基を有していてもよいアリーレン基を示し、Ｗは−ＣＨ２−又は−ＳＯ２−を示し、ｎは０又は１の整数である。）
【請求項５】
該ホルマザン金属キレート化合物の金属成分が、バナジウム、マンガン、鉄、コバルト、ニッケル、銅、亜鉛及びパラジウムの中から選ばれる金属であるか又は該金属の酸化物もしくはハロゲン化物であることを特徴とする請求項１〜４のいずれかに記載の光記録媒体。
【請求項６】
該スクアリリウム金属キレート化合物が、下記一般式（III）で表される化合物であることを特徴とする請求項１〜５のいずれかに記載の光記録媒体。
【化３】
2003335060.tif 000003
［式中、Ｒ１及びＲ２は同一又は異なっていてもよく、水素原子、置換基を有していてもよい脂肪族基、置換基を有していてもよいアラルキル基、置換基を有していてもよいアリール基又は置換基を有していてもよい複素環基を示し、Ｍは配位能を有している金属原子を示し、ｍは２又は３の整数を示し、Ｘは置換基を有していてもよいアリール基、置換基を有していてもよい複素環基又はＺ３＝ＣＨ−（式中、Ｚ３は置換基を有していてもよい複素環基を表す）を示す。］
【請求項７】
該一般式（III）中のＸが、下記一般式（IV）で表される基であることを特徴とする請求項６に記載の光記録媒体。
【化４】
2003335060.tif 000004
（式中、Ｒ３及びＲ４は同一又は異なっていてもよく、置換基を有していてもよい脂肪族基を示すか、あるいはＲ３とＲ４は結合して炭素環又は複素環を形成してもよく、Ｒ５は水素原子、置換基を有していてもよい脂肪族基、置換基を有していてもよいアラルキル基又は置換基を有していてもよいアリール基を示し、Ｒ６〜Ｒ９は同一又は異なっていてもよく、ハロゲン原子、置換基を有していてもよい脂肪族基、置換基を有していてもよいアラルキル基、置換基を有していてもよいアリール基、ニトロ基、シアノ基又は置換基を有していてもよいアルコキシル基を示し、互いに隣り合う２つの基が結合して置換基を有していてもよい環を形成してもよい）
【請求項８】
該一般式（III）中のＭが、アルミニウムであることを特徴とする請求項６又は７に記載の光記録媒体。
【請求項９】
該フタロシアニン化合物が、下記一般式（Ｖ）で表される化合物であることを特徴とする請求項１〜８のいずれかに記載の光記録媒体。
【化５】
2003335060.tif 000005
（式中、Ｒ１０〜Ｒ１３は同一又は異なっていてもよく、置換基を有していてもよいアルキルスルフィニル基、置換基を有していてもよいアリールスルフィニル基、置換基を有していてもよいアルキルスルホニル基、置換基を有していてもよいアリールスルホニル基、置換基を有していてもよいアルキルオキシスルホニル基、置換基を有していてもよいアリールオキシスルホニル基、置換基を有していてもよいアルコキシル基、置換基を有していてもよいアリールカルボニルオキシ基又は置換基を有していてもよいピラゾリル基を示し、Ｍ１は金属成分又は２個の水素原子を示す）
【請求項１０】
該一般式（Ｖ）中のＭ１が、Ｖ＝Ｏ又は式Ｐ−Ｓｉ−Ｑで表される金属成分であることを特徴とする請求項９に記載の光記録媒体。（式中、Ｐ及びＱは同一又は異なっていてもよく、置換基を有していてもよいアルコキシル基、置換基を有していてもよいアリールオキシ基、置換基を有していてもよいアルコキシカルボニル基、置換基を有していてもよいアリールオキシカルボニル基、置換基を有していてもよいアリールオキシスルホニル基又は置換基を有していてもよいアリールカルボニルオキシ基を示す）
【請求項１１】
記録再生波長±５ｎｍの波長領域の光に対する記録層単層の屈折率ｎが１．５≦ｎ≦３．０であり、消衰係数ｋが０．０２≦ｋ≦０．３であることを特徴とする請求項１〜１０のいずれかに記載の光記録媒体。
【請求項１２】
反射層を有し、該反射層が金、銀、銅及びアルミニウムの中から選ばれる金属であるか又は該金属の合金であることを特徴とする請求項１〜１１のいずれかに記載の光記録媒体。
【請求項１３】
基板上のトラックピッチが０．７〜０．８μｍであり、溝幅が半値幅で、０．１８〜０．４０μｍであることを特徴とする請求項１〜１２のいずれかに記載の光記録媒体。
【請求項１４】
６００〜７２０ｎｍの記録波長で記録可能であることを特徴とする請求項１〜１３のいずれかに記載の光記録媒体。
【請求項１５】
請求項１〜１４のいずれかに記載の光記録媒体に６００〜７２０ｎｍの記録波長で記録することを特徴とする光記録方法。
【請求項１６】
請求項１〜１４のいずれかに記載の光記録媒体を搭載した光記録装置。
【手続補正２】
【補正対象書類名】明細書
【補正対象項目名】０００４
【補正方法】変更
【補正の内容】
【０００４】
【課題を解決するための手段】
本発明者等は、種々検討した結果、追記型ＤＶＤメディアの記録材料である、ホルマザン金属キレート化合物とスクアリリウム金属キレート化合物の混合化合物（最大吸収波長５００〜６５０ｎｍ）材料に、フタロシアニン化合物（最大吸収波長６５０〜７５０ｎｍ）を添加することにより、半導体レーザーの波長シフトに対する依存性の少ない光記録媒体が得られることを見いだし、本発明を完成するに至った。
即ち、本発明によれば、以下に示す光記録媒体、光記録方法及び光記録装置が提供される。
（１）基板上に記録層を設けてなる光記録媒体において、該記録層中に、（ｉ）ホルマザン化合物と金属からなるホルマザン金属キレート化合物、（ii）スクアリリウム化合物と金属からなるスクアリリウム金属キレート化合物及び（iii）フタロシアニン化合物を含有していることを特徴とする光記録媒体。
（２）該ホルマザン金属キレート化合物と該スクアリリウム金属キレート化合物の膜の吸収スペクトルの最大吸収波長が５００〜６５０ｎｍであり、該フタロシアニン化合物の膜の吸収スペクトルの最大吸収波長が６５０〜７５０ｎｍであることを特徴とする前記（１）に記載の光記録媒体。
（３）該ホルマザン金属キレート化合物と該スクアリリウム金属キレート化合物との重量比が１０：９０〜５０：５０であり、さらに該フタロシアニン化合物の含有量が、該ホルマザン金属キレート化合物と該スクアリリウム金属キレート化合物の合計量に対して０．５〜２０重量％であることを特徴とする前記（１）又は（２）に記載の光記録媒体。
（４）該ホルマザン金属キレート化合物が、下記一般式（Ｉ）及び／又は下記一般式（II）で表されるホルマザン化合物と金属からなることを特徴とする前記（１）〜（３）のいずれかに記載の光記録媒体。
【化６】
2003335060.tif 000006
（式中、環Ａは窒素原子を含む置換もしくは無置換の５員環又は６員環を示し、Ｚは環Ａを与える原子群を示し、該含窒素複素環には他の環が縮合していてもよく、Ａは置換基を有していてもよいアルキル基、置換基を有していてもよいアリール基、置換基を有していてもよいアルキルカルボニル基、置換基を有していてもよいアリールカルボニル基、置換基を有していてもよいアルケニル基、置換基を有していてもよい複素環基又は置換基を有していてもよいアルコキシカルボニル基を示し、Ｂは置換基を有していてもよいアルキル基、置換基を有していてもよいアルケニル基、置換基を有していてもよいアリール基を示す）
【化７】
2003335060.tif 000007
（式中、環Ｂ及び環Ｃは、同一または異なっていてもよくそれぞれ窒素原子を含む置換もしくは無置換の５員環又は６員環を示し、Ｚ１、Ｚ２はそれぞれ環Ｂ及び環Ｃを与える原子群を示し、該含窒素複素環には他の環が縮合していてもよく、Ａ１、Ａ２はそれぞれ置換基を有していてもよいアルキル基、置換基を有していてもよいアリール基、置換基を有していてもよいアルキルカルボニル基、置換基を有していてもよいアリールカルボニル基、置換基を有していてもよいアルケニル基、置換基を有していてもよい複素環基又は置換基を有していてもよいアルコキシカルボニル基を示し、Ｂ１、Ｂ２はそれぞれ置換基を有していてもよいアルキレン基、置換基を有していてもよいアルケニレン基又は置換基を有していてもよいアリーレン基を示し、Ｗは−ＣＨ２−又は−ＳＯ２−を示し、ｎは０又は１の整数である。）
（５）該ホルマザン金属キレート化合物の金属成分が、バナジウム、マンガン、鉄、コバルト、ニッケル、銅、亜鉛及びパラジウムの中から選ばれる金属であるか又は該金属の酸化物もしくはハロゲン化物であることを特徴とする前記（１）〜（４）のいずれかに記載の光記録媒体。
（６）該スクアリリウム金属キレート化合物が、下記一般式（III）で表される化合物であることを特徴とする前記（１）〜（５）のいずれかに記載の光記録媒体。
【化８】
2003335060.tif 000008
［式中、Ｒ１及びＲ２は同一又は異なっていてもよく、水素原子、置換基を有していてもよい脂肪族基、置換基を有していてもよいアラルキル基、置換基を有していてもよいアリール基又は置換基を有していてもよい複素環基を示し、Ｍは配位能を有している金属原子を示し、ｍは２又は３の整数を示し、Ｘは置換基を有していてもよいアリール基、置換基を有していてもよい複素環基又はＺ３＝ＣＨ−（式中、Ｚ３は置換基を有していてもよい複素環基を表す）を示す。］
（７）該一般式（III）中のＸが、下記一般式（IV）で表される基であることを特徴とする前記（６）に記載の光記録媒体。
【化９】
2003335060.tif 000009
（式中、Ｒ３及びＲ４は同一又は異なっていてもよく、置換基を有していてもよい脂肪族基を示すか、あるいはＲ３とＲ４は結合して脂環式炭素環又は複素環を形成してもよく、Ｒ５は水素原子、置換基を有していてもよい脂肪族基、置換基を有していてもよいアラルキル基又は置換基を有していてもよいアリール基を示し、Ｒ６〜Ｒ９は同一又は異なってハロゲン原子、置換基を有していてもよい脂肪族基、置換基を有していてもよいアラルキル基、置換基を有していてもよいアリール基、ニトロ基、シアノ基又は置換基を有していてもよいアルコキシル基を示し、互いに隣り合う２つの基が結合して置換基を有していてもよい環を形成してもよい）
（８）該一般式（III）中のＭが、アルミニウムであることを特徴とする前記（６）又は（７）に記載の光記録媒体。
（９）該フタロシアニン化合物が、下記一般式（Ｖ）で表される化合物であることを特徴とする前記（１）〜（８）のいずれかに記載の光記録媒体。
【化１０】
2003335060.tif 000010
（式中、Ｒ１０〜Ｒ１３は同一又は異なっていてもよく、置換基を有していてもよいアルキルスルフィニル基、置換基を有していてもよいアリールスルフィニル基、置換基を有していてもよいアルキルスルホニル基、置換基を有していてもよいアリールスルホニル基、置換基を有していてもよいアルキルオキシスルホニル基、置換基を有していてもよいアリールオキシスルホニル基、置換基を有していてもよいアルコキシル基、置換基を有していてもよいアリールカルボニルオキシ基又は置換基を有していてもよいピラゾリル基を示し、Ｍ１は金属成分又は２個の水素原子を示す）
（１０）該一般式（Ｖ）中のＭ１が、Ｖ＝Ｏ又は式Ｐ−Ｓｉ−Ｑで表される金属成分であることを特徴とする前記（９）に記載の光記録媒体。（式中、Ｐ及びＱは同一又は異なっていてもよく、置換基を有していてもよいアルコキシル基、置換基を有していてもよいアリールオキシ基、置換基を有していてもよいアルコキシカルボニル基、置換基を有していてもよいアリールオキシカルボニル基、置換基を有していてもよいアリールオキシスルホニル基又は置換基を有していてもよいアリールカルボニルオキシ基を示す）
（１１）記録再生波長±５ｎｍの波長領域の光に対する記録層単層の屈折率ｎが１．５≦ｎ≦３．０であり、消衰係数ｋが０．０２≦ｋ≦０．３であることを特徴とする前記（１）〜（１０）のいずれかに記載の光記録媒体。
（１２）反射層を有し、該反射層が金、銀、銅及びアルミニウムの中から選ばれる金属であるか、又は該金属の合金であることを特徴とする前記（１）〜（１１）のいずれかに記載の光記録媒体。
（１３）基板上のトラックピッチが０．７〜０．８μｍであり、溝幅が半値幅で、０．１８〜０．４０μｍであることを特徴とする前記（１）〜（１２）のいずれかに記載の光記録媒体。
（１４）６００〜７２０ｎｍの記録波長で記録可能であることを特徴とする前記（１）〜（１３）のいずれかに記載の光記録媒体。
（１５）前記（１）〜（１４）のいずれかに記載の光記録媒体に６００〜７２０ｎｍの記録波長で記録することを特徴とする光記録方法。
（１６）前記（１）〜（１４）のいずれかに記載の光記録媒体を搭載した光記録装置。
【手続補正３】
【補正対象書類名】明細書
【補正対象項目名】０００９
【補正方法】変更
【補正の内容】
【０００９】
環Ａ、環Ｂ及び環Ｃに結合する前記置換基の具体例としては、それぞれ独立にハロゲン原子、ニトロ基、シアノ基、水酸基、カルボキシル基、アミノ基、カルバモイル基、置換基を有していてもよいアルキル基、置換基を有していてもよいアリール基、置換基を有していてもよい複素環基、置換基を有していてもよいアルコキシル基、置換基を有していてもよいアリールオキシ基、置換基を有していてもよいアルキルチオ基、置換基を有していてもよいアリールチオ基、置換基を有していてもよいアルキルアミノ基、置換基を有していてもよいアリールアミノ基、置換基を有していてもよいアルコキシカルボニル基、置換基を有していてもよいアリールオキシカルボニル基、置換基を有していてもよいアルキルカルボキサミド基、置換基を有していてもよいアリールカルボキサミド基、置換基を有していてもよいアルキルカルバモイル基、置換基を有していてもよいアリールカルバモイル基、置換基を有していてもよいアルケニル基、置換基を有していてもよいアルキルスルファモイル基等があげられる。
【手続補正４】
【補正対象書類名】明細書
【補正対象項目名】００１５
【補正方法】変更
【補正の内容】
【００１５】
酸素を介して他の炭化水素基で置換されているアルキル基としては、メトキシメチル基、メトキシエチル基、エトキシメチル基、エトキシエチル基、ブトキシエチル基、エトキシエトキシエチル基、フェノキシエチル基、メトキシプロピル基、エトキシプロピル基等のアルコキシル基やアリールオキシ基等で置換されたアルキル基が挙げられる。これらのアルコキシル基やアリールオキシ基は置換基を有していてもよい。
【手続補正５】
【補正対象書類名】明細書
【補正対象項目名】００２１
【補正方法】変更
【補正の内容】
【００２１】
前記ハロゲン原子の具体例としては、フッ素、塩素、臭素、ヨウ素の各原子があげられる。
前記置換基を有していてもよいアルコキシル基は、酸素原子に直接置換基を有していてもよいアルキル基が結合されているものであればよい。そのアルキル基および置換基の具体例としては、前述の具体例をあげることができる。
前記置換基を有していてもよいアリールオキシ基は、酸素原子に直接置換基を有していてもよいアリール基が結合されているものであればよい。そのアリール基および置換基の具体例としては、前述の具体例をあげることができる。
前記置換基を有していてもよいアルキルチオ基は、硫黄原子に直接置換基を有していてもよいアルキル基が結合されているものであればよい。そのアルキル基および置換基の具体例としては、前述の具体例をあげることができる。
前記置換基を有していてもよいアリールチオ基は、硫黄原子に直接置換基を有していてもよいアリール基が結合されているものであればよい。そのアリール基および置換基の具体例としては、前述の具体例をあげることができる。
前記置換基を有していてもよいアルキルアミノ基は、窒素原子に直接置換基を有していてもよいアルキル基が結合されているものであればよい。そのアルキル基および置換基の具体例としては、前述の具体例をあげることができる。また、アルキル基同士が結合し、酸素原子、窒素原子等を含んでピペリジノ基、モルホリノ基、ピロリジニル基、ピペラジニル基、インドリニル基、イソインドリニル基のように環を形成していてもよい。
前記置換基を有していてもよいアリールアミノ基は、窒素原子に直接置換基を有していてもよいアリール基が結合されているものであればよい。そのアリール基および置換基の具体例としては、前述の具体例をあげることができる。
【手続補正６】
【補正対象書類名】明細書
【補正対象項目名】００３３
【補正方法】変更
【補正の内容】
【００３３】
前記式中、Ｒ３及びＲ４は同一又は異なっていてもよく、置換基を有していてもよい脂肪族基を表すか、あるいはＲ３とＲ４は結合して、炭素環又は複素環を形成してもよい。Ｒ５は水素原子、置換基を有していてもよい脂肪族基、置換基を有していてもよいアラルキル基又は置換基を有していてもよいアリール基を示す。
Ｒ６〜Ｒ９は、水素原子、ハロゲン原子、置換基を有していてもよい脂肪族基、置換基を有していてもよいアラルキル基、置換基を有していてもよいアリール基、ニトロ基、シアノ基又は置換基を有していてもよいアルコキシル基を示す。前記Ｒ６〜Ｒ９のうち、隣り合う２つの基が結合して、置換基を有していてもよい炭素環や複素環を形成していてもよい。
脂肪族基には、アルキル基及びアルケニル基が包含される。また、これらのアルキル基及びアルケニル基は鎖状又は環状のものであることができる。
この脂肪族基において、鎖状の場合、その炭素数１〜６であるものが好ましく、環状の場合、その炭素数３〜８であるものが好ましい。
前記脂肪族基の具体例としては、例えば、メチル基、エチル基、プロピル基、イソプロピル基、ブチル基、イソブチル基、ｓｅｃ−ブチル基、ｔｅｒｔ−ブチル基、ペンチル基、イソペンチル基、１−メチルブチル基、２−メチルブチル基、ｔｅｒｔ−ペンチル基、ヘキシル基、シクロプロピル基、シクロブチル基、シクロペンチル基、シクロヘキシル基、シクロヘプチル基、シクロオクチル基、ビニル基、アリル基、１−プロペニル基、メタクリル基、クロチル基、１−ブテニル基、３−ブテニル基、２−ペンテニル基、４−ペンテニル基、２−ヘキセニル基、５−ヘキセニル基、２−ヘプテニル基、２−オクテニル基等が挙げられる。
前記アルコキシル基におけるアルキル基部分は、鎖状又は環状のアルキル基であることができる。鎖状の場合、その炭素数１〜６のものが好ましく、環状の場合、３〜８のものが好ましい。そのアルキル基の具体例としては、前記と同様なものを挙げることができる。
アラルキル基としては、炭素数７〜１５のアラルキル基が挙げられ、例えば、ベンジル基、フェネチル基、フェニルプロピル基、ナフチルメチル基等が挙げられる。
アリール基としては、炭素数６〜１８のものが好ましく、例えば、フェニル基、ナフチル基、アントリル基、アズレニル基等が挙げられる。
【手続補正７】
【補正対象書類名】明細書
【補正対象項目名】００３４
【補正方法】変更
【補正の内容】
【００３４】
ハロゲン原子としては、塩素原子、臭素原子、フッ素原子、ヨウ素原子が挙げられる。
アラルキル基、アリール基、アルコキシル基、芳香族環又は複素環基の置換基としては、例えば、水酸基、カルボキシル基、ハロゲン原子、アルキル基、アルコキシル基、ニトロ基、置換基を有していてもよいアミノ基等が挙げられる。ハロゲン原子、アルキル基及びアルコキシル基としては、前記と同様なものが挙げられる。これらの置換基は、分子中に１つ又は複数個であることができる。
脂肪族基の置換基としては、例えば、水酸基、カルボキシル基、ハロゲン原子、アルコキシル基等が挙げられる。ハロゲン原子およびアルコキシル基としては、前記と同様なものが挙げられる。これらの置換基は、分子中に１つ又は複数個であることができる。
アミノ基の置換基としては、同一または異なっていてもよい１〜２個のアルキル基が挙げられ、この場合のアルキル基としては前記と同様のものが挙げられる。
【手続補正８】
【補正対象書類名】明細書
【補正対象項目名】００５１
【補正方法】変更
【補正の内容】
【００５１】
次に、フタロシアニン化合物について説明する。本発明で用いるフタロシアニン化合物としては、従来公知の各種のものを用いることができる。
本発明の光記録媒体は、最大吸収波長が５００〜６５０ｎｍにあるホルマザン金属キレート化合物とスクアリリウム金属キレート化合物の混合色素材料に、最大吸収波長が６５０〜７５０ｎｍにあるフタロシアニン化合物を添加することにより、半導体ＬＤの波長シフトに対する依存性を少なくする事を特徴とするが、フタロシアニン化合物の構造としては、特に下記一般式（Ｖ）で表されるものが好ましい。
【化１９】
2003335060.tif 000011
前記式中、Ｒ１０〜Ｒ１３は同一又は異なっていてもよく、置換基を有していてもよいアルキルスルフィニル基、置換基を有していてもよいアリールスルフィニル基、置換基を有していてもよいアルキルスルホニル基、置換基を有していてもよいアリールスルホニル基、置換基を有していてもよいアルキルオキシスルホニル基、置換基を有していてもよいアリールオキシスルホニル基、置換基を有していてもよいアルコキシル基、置換基を有していてもよいアリールカルボニルオキシ基又は置換基を有していてもよいピラゾリル基等を示す。Ｍ１は金属成分又は２個の水素原子を示す。この金属成分は、金属又は金属化合物からなり、２価の金属、３価又は４価の置換金属原子、酸化金属等が包含される。
前記アルキルスルフィニル基において、そのアルキル基の炭素数は１〜１２であるのが好ましく、より好ましくは１〜６である。このアルキル基には、鎖状及び環状のもの、さらに不飽和のものが包含される。
前記アリールスルフィニル基において、そのアリール基の炭素数は６〜２０であるのが好ましく、より好ましくは６〜１２である。
前記アルキルスルホニル基において、そのアルキル基の炭素数は１〜１２であるのが好ましく、より好ましくは１〜６である。このアルキル基には、鎖状及び環状のもの、さらに不飽和のものが包含される。
前記アリールスルホニル基において、そのアリール基の炭素数は６〜２０であるのが好ましく、より好ましくは６〜１２である。前記アルキルオキシスルホニル基において、そのアルキル基の炭素数は１〜１２であるのが好ましく、より好ましくは１〜６である。このアルキル基には、鎖状及び環状のもの、さらに不飽和のものが包含される。
前記アリールオキシスルホニル基において、そのアリール基の炭素数は６〜２０であるのが好ましく、より好ましくは６〜１２である。
前記置換基を有していてもよいアルコキシル基において、そのアルキル基の炭素数は６〜２０であるのが好ましく、より好ましくは６〜１２である。
前記置換基を有していてもよいアリールカルボニルオキシ基において、そのアリール基の炭素数は６〜２０であるのが好ましく、より好ましくは６〜１２である。
ここでアルキル基、アリール基としては前記一般式（Ｉ）及び(II)における基の説明で挙げたものと同様のものが挙げられる。
前記した各基は置換基を有していてもよいが、このような置換基の具体例としては、前記環Ａ、環Ｂ及び環Ｃに関して示した各種の置換基を示すことができる。
前記一般式（Ｖ）において、Ｍ１は、Ｖ＝Ｏ又は式Ｐ−Ｓｉ−Ｑで表される金属成分であるのが好ましい。
（式中、Ｐ及びＱは同一又は異なっていてもよく、置換基を有していてもよいアルコキシル基、置換基を有していてもよいアリールオキシ基、置換基を有していてもよいアルコキシカルボニル基、置換基を有していてもよいアリールオキシカルボニル基、置換基を有していてもよいアリールオキシスルホニル基又は置換基を有していてもよいアリールカルボニルオキシ基を示す）